(57)【要約】【課題】それぞれ異なる周波数帯の高周波信号波を出力する複数種類の高周波増幅器などに対して簡単な構成で擬似負荷を掛ける擬似負荷装置を提供する。【解決手段】所定の周波数帯(Ｃ帯、Ｘ帯)の高周波信号波を出力する複数種類の高周波信号源(Ｃ帯ＡＭＰ4、Ｘ帯ＡＭＰ1)に対応して設けられた周波数帯変換手段(Ｃ帯→Ｓ帯テーパ導波管12、Ｘ帯→Ｓ帯テーパ導波管14)により、上記高周波信号波の周波数帯(Ｃ帯、Ｘ帯)が一種類の特定周波数帯(Ｓ帯)に変換されて特定周波数帯信号波ｍａ，ｍｂとして出力される。信号波選択手段(導波管切替器15)により、上記各周波数帯変換手段(Ｃ帯→Ｓ帯テーパ導波管12、Ｘ帯→Ｓ帯テーパ導波管14)から出力される特定周波数帯信号波ｍａ，ｍｂから１つの特定周波数帯信号波が選択される。そして、信号波選択手段(導波管切替器15)で選択された特定周波数帯信号波の電力が擬似負荷(Ｓ帯用擬似負荷17)により消費される。【選択図】図１
2012257064.tif 000002
【特許請求の範囲】
【請求項１】
所定の周波数帯の高周波信号波を出力する複数種類の高周波信号源に対応して設けられ、前記高周波信号波の前記周波数帯を一種類の特定周波数帯に変換して特定周波数帯信号波として出力する複数の周波数帯変換手段と、
前記各周波数帯変換手段から出力される前記各特定周波数帯信号波から１つの前記特定周波数帯信号波を選択する信号波選択手段と、
該信号波選択手段で選択された前記特定周波数帯信号波の電力を消費するための擬似負荷とを有することを特徴とする擬似負荷装置。
【請求項２】
前記各周波数帯変換手段は、
前記各高周波信号波の前記各周波数帯よりも低い前記特定周波数帯の前記特定周波数帯信号波を出力する構成とされていることを特徴とする請求項１記載の擬似負荷装置。
【請求項３】
前記各周波数帯変換手段は、
入力される前記各高周波信号波の前記各周波数帯を漸次低くして前記特定周波数帯に変換するテーパ導波管で構成されていることを特徴とする請求項２記載の擬似負荷装置。
【請求項４】
前記信号波選択手段で発生する前記特定周波数帯信号波の漏れ電力を吸収するための終端器が設けられていることを特徴とする請求項１、２又は３記載の擬似負荷装置。
【請求項５】
前記信号波選択手段は、前記各周波数帯変換手段を構成する前記各テーパ導波管のうちの一つを選択する導波管切替器で構成され、
該導波管切替器で選択された前記テーパ導波管から出力される前記特定周波数帯信号波を前記擬似負荷へ伝送するための第１の特定周波数帯導波管と、
前記信号波選択手段で発生する前記漏れ電力を前記終端器へ伝送するための第２の特定周波数帯導波管とが設けられていることを特徴とする請求項４記載の擬似負荷装置。
【発明の詳細な説明】
【技術分野】
【０００１】
この発明は、擬似負荷装置に係り、特に、それぞれ異なる周波数帯の高周波信号波を大電力で出力する複数種類の高周波信号源（たとえば、高周波増幅器など）に対して擬似負荷を掛ける場合に用いて好適な擬似負荷装置に関する。
【背景技術】
【０００２】
それぞれ異なる周波数帯の高周波信号波を大電力で出力する複数種類の高周波信号源（たとえば、高周波増幅器など）に対して導波管を経て擬似負荷を掛ける場合、各周波数帯に対応して導波管のカットオフ周波数を設定し、最適な導波管型の擬似負荷装置を装備する必要がある。
【０００３】
この種の擬似負荷装置では、たとえば図２（ａ）に示すように、Ｘ帯の周波数帯の高周波信号波（たとえば、３０〜３００ＧＨｚ）を出力する高周波増幅器であるＸ帯ＡＭＰ（高周波増幅器）１は、Ｘ帯導波管２を経てＸ帯擬似負荷３が接続されて電力が消費される。また、図２（ｂ）に示すように、Ｘ帯よりも低いＣ帯の周波数帯の高周波信号波を出力する高周波増幅器であるＣ帯ＡＭＰ４は、Ｃ帯導波管５を経てＣ帯擬似負荷６が接続されて電力が消費される。
【０００４】
上記の擬似負荷装置の他、この種の関連技術としては、たとえば、特許文献１に記載された大電力終端器がある。
この大電力終端器では、同時に終端されることのない２つの大電力高周波信号の一方は、第１の開口面から第１の導波管に入力され、その一部の電力は第１の電波吸収体に吸収されてほぼ無反射終端される。残りの電力は、共通Ｅ面体に設けられている方向性結合孔を介して第２の導波管の終端面に実装されている第２の電波吸収体に吸収されてほぼ無反射終端される。第２の開口面から第２の導波管に入力される他方の大電力高周波信号についても、同様に分割されて、一部の電力は第２の電波吸収体に吸収され、残りの電力は方向性結合孔を介して第１の電波吸収体に吸収されてほぼ無反射終端される。
【０００５】
また、特許文献２に記載された大電力高周波用ダミーロードは、導波管の終端に高周波電力吸収体として取り付けられるダミーロードであり、上流側の導波管に比べて電界に平行な面の高さを大きくした矩形状の導波管とされ、かつ、この導波管の開口端と上流側の導波管に接続されるフランジ部との間がテーパ管により接続され、上記矩形状の金属製導波管の電界に平行な内面にＳｉＣタイルがロー付けされている。
【先行技術文献】
【特許文献】
【０００６】
【特許文献１】特開平０８−０４６４０８号公報
【特許文献２】特開平０９−１６２６０６号公報
【発明の概要】
【発明が解決しようとする課題】
【０００７】
しかしながら、上記関連技術では、次のような課題があった。
すなわち、図２に示す擬似負荷装置では、Ｘ帯擬似負荷３はＸ帯、及び、Ｃ帯擬似負荷６はＣ帯のみでしか使用できず、使用周波数毎に擬似負荷を用意する必要があり、装置の規模が大型化されて煩雑になるという課題がある。
【０００８】
特許文献１に記載された大電力終端器では、通信システム構成上同時に終端されることのない２つの大電力高周波信号に対して、１つの電力終端器を共通使用し、各高周波信号を分割して２つの電波吸収体に吸収してほぼ無反射終端することにより、装置構成の簡素化、実装スペースの効率化及び装置の小形化が行われるが、この発明とはハード構成が異なる。
【０００９】
また、特許文献２に記載された大電力高周波用ダミーロードでは、導波管の内面の電界に平行な面の高さが広げられた構成となり、高周波電力の密度が小さくなり、ＳｉＣタイルでの発熱密度が小さくなるが、この発明とはハード構成が異なる。
【００１０】
この発明は、上述の事情に鑑みてなされたもので、それぞれ異なる周波数帯の高周波信号を出力する複数種類の高周波増幅器などに対して簡単な構成で擬似負荷を掛ける擬似負荷装置を提供することを目的としている。
【課題を解決するための手段】
【００１１】
上記課題を解決するために、この発明の第１の構成は、擬似負荷装置に係り、所定の周波数帯の高周波信号波を出力する複数種類の高周波信号源に対応して設けられ、前記高周波信号波の前記周波数帯を一種類の特定周波数帯に変換して特定周波数帯信号波として出力する複数の周波数帯変換手段と、前記各周波数帯変換手段から出力される前記各特定周波数帯信号波から１つの前記特定周波数帯信号波を選択する信号波選択手段と、該信号波選択手段で選択された前記特定周波数帯信号波の電力を消費するための擬似負荷とを有することを特徴としている。
【発明の効果】
【００１２】
この発明の構成によれば、複数種類の高周波信号源から出力される高周波信号波の電力の消費が１つの擬似負荷により対応可能な擬似負荷装置を提供することができる。
【図面の簡単な説明】
【００１３】
【図１】この発明の一実施形態である擬似負荷装置の要部の電気的構成を示す図である。
【図２】関連技術に係る擬似負荷装置の構成を示す図である。
【発明を実施するための形態】
【００１４】
上記各周波数帯変換手段（Ｃ帯→Ｓ帯テーパ導波管、Ｘ帯→Ｓ帯テーパ導波管）は、上記各高周波信号波の上記各周波数帯（Ｃ帯、Ｘ帯）よりも低い上記特定周波数帯（Ｓ帯）の上記特定周波数帯信号波を出力する構成とされている擬似負荷装置を実現する。
【００１５】
また、上記各周波数帯変換手段（Ｃ帯→Ｓ帯テーパ導波管、Ｘ帯→Ｓ帯テーパ導波管）は、入力される上記各高周波信号波の上記各周波数帯（Ｃ帯、Ｘ帯）を漸次低くして上記特定周波数帯（Ｓ帯）に変換するテーパ導波管（Ｃ帯→Ｓ帯テーパ導波管、Ｘ帯→Ｓ帯テーパ導波管）で構成されている。
また、上記信号波選択手段（導波管切替器）で発生する上記特定周波数帯信号波の漏れ電力を吸収するための終端器が設けられている。
【００１６】
また、上記信号波選択手段（導波管切替器）は、上記各周波数帯変換手段（Ｃ帯→Ｓ帯テーパ導波管、Ｘ帯→Ｓ帯テーパ導波管）を構成する上記各テーパ導波管（Ｃ帯→Ｓ帯テーパ導波管、Ｘ帯→Ｓ帯テーパ導波管）のうちの一つを選択する導波管切替器で構成され、同導波管切替器で選択された上記テーパ導波管（Ｃ帯→Ｓ帯テーパ導波管、Ｘ帯→Ｓ帯テーパ導波管）から出力される上記特定周波数帯信号波を上記擬似負荷（Ｓ帯用擬似負荷）へ伝送するための第１の特定周波数帯導波管（Ｓ帯導波管）と、上記信号波選択手段（導波管切替器）で発生する上記漏れ電力を上記終端器へ伝送するための第２の特定周波数帯導波管（Ｓ帯導波管）とが設けられている。
【実施形態】
【００１７】
図１は、この発明の一実施形態である擬似負荷装置の要部の電気的構成を示す図である。
この形態の擬似負荷装置は、同図に示すように、Ｃ帯導波管１１と、Ｃ帯→Ｓ帯テーパ導波管１２と、Ｘ帯導波管１３と、Ｘ帯→Ｓ帯テーパ導波管１４と、導波管切替器１５と、Ｓ帯導波管１６と、Ｓ帯用擬似負荷１７と、Ｓ帯導波管１８と、終端器１９とから構成されている。Ｃ帯導波管１１には、図２（ｂ）と同様のＣ帯ＡＭＰ４が接続されている。Ｃ帯→Ｓ帯テーパ導波管１２は、Ｃ帯ＡＭＰ４に対応して設けられ、同Ｃ帯ＡＭＰ４からＣ帯導波管１１を経て伝送された高周波信号波の周波数帯（Ｃ帯）を特定周波数帯（Ｓ帯）に変換して特定周波数帯信号波ｍａとして出力する。Ｘ帯導波管１３には、図２（ａ）と同様のＸ帯ＡＭＰ１が接続されている。Ｘ帯→Ｓ帯テーパ導波管１４は、Ｘ帯ＡＭＰ１に対応して設けられ、同Ｘ帯ＡＭＰ１からＸ帯導波管１３を経て伝送された高周波信号波の周波数帯（Ｘ帯）を特定周波数帯（Ｓ帯）に変換して特定周波数帯信号波ｍｂとして出力する。
【００１８】
特に、この実施形態では、上記特定周波数帯（Ｓ帯）は、上記各周波数帯（Ｃ帯、Ｘ帯）よりも低く設定されている。この場合、Ｃ帯→Ｓ帯テーパ導波管１２は、入力される高周波信号波の周波数帯（Ｃ帯）を漸次低くして特定周波数帯（Ｓ帯）に変換する。Ｘ帯→Ｓ帯テーパ導波管１４は、入力される高周波信号波の周波数帯（Ｘ帯）を漸次低くして特定周波数帯（Ｓ帯）に変換する。この特定周波数帯（Ｓ帯）は、この擬似負荷装置が用いられる高周波信号源から出力される高周波信号波の周波数帯のうちの、たとえば最低の周波数帯に設定されている。
【００１９】
導波管切替器１５は、Ｃ帯→Ｓ帯テーパ導波管１２から出力される特定周波数帯信号波ｍａ、又は、Ｘ帯→Ｓ帯テーパ導波管１４から出力される特定周波数帯信号波ｍｂを選択する。Ｓ帯導波管１６は、導波管切替器１５で選択された特定周波数帯信号波ｍａ又は特定周波数帯信号波ｍｂをＳ帯用擬似負荷１７へ伝送するためのものである。Ｓ帯用擬似負荷１７は、導波管切替器１５で選択された上記特定周波数帯信号波の電力を消費する。Ｓ帯導波管１８は、導波管切替器１５で発生する上記特定周波数帯信号波の漏れ電力を終端器１９へ伝送するためのものである。終端器１９は、導波管切替器１５で発生する上記特定周波数帯信号波の漏れ電力を吸収する。
【００２０】
この擬似負荷装置では、所定の周波数帯（Ｃ帯、Ｘ帯）の高周波信号波を出力する複数種類の高周波信号源（Ｃ帯ＡＭＰ４、Ｘ帯ＡＭＰ１）に対応して設けられた周波数帯変換手段（Ｃ帯→Ｓ帯テーパ導波管１２、Ｘ帯→Ｓ帯テーパ導波管１４）により、上記高周波信号波の周波数帯（Ｃ帯、Ｘ帯）が一種類の特定周波数帯（Ｓ帯）に変換されて特定周波数帯信号波ｍａ，ｍｂとして出力される。信号波選択手段（導波管切替器１５）により、上記各周波数帯変換手段（Ｃ帯→Ｓ帯テーパ導波管１２、Ｘ帯→Ｓ帯テーパ導波管１４）から出力される特定周波数帯信号波ｍａ，ｍｂから１つの特定周波数帯信号波が選択される。そして、信号波選択手段（導波管切替器１５）で選択された特定周波数帯信号波の電力が擬似負荷（Ｓ帯用擬似負荷１７）により消費される。
【００２１】
すなわち、Ｃ帯ＡＭＰ４から高周波信号波がＣ帯導波管１１を経て伝送され、Ｃ帯→Ｓ帯テーパ導波管１２で周波数帯をＣ帯から漸次低くすることにより、Ｓ帯（特定周波数帯）に変換されて特定周波数帯信号波ｍａとして出力される。また、Ｘ帯ＡＭＰ１から高周波信号波がＸ帯導波管１３を経て伝送され、Ｘ帯→Ｓ帯テーパ導波管１４で周波数帯をＸ帯から漸次低くすることにより、Ｓ帯（特定周波数帯）に変換されて特定周波数帯信号波ｍｂとして出力される。Ｃ帯→Ｓ帯テーパ導波管１２から出力される特定周波数帯信号波ｍａ、又は、Ｘ帯→Ｓ帯テーパ導波管１４から出力される特定周波数帯信号波ｍｂは、導波管切替器１５により選択される。
【００２２】
導波管切替器１５で選択された特定周波数帯信号波ｍａ又は特定周波数帯信号波ｍｂは、Ｓ帯導波管１６を経てＳ帯用擬似負荷１７へ伝送される。Ｓ帯用擬似負荷１７では、導波管切替器１５で選択されたＳ帯の上記特定周波数帯信号波の電力が、反射電力が発生することなく、消費される。また、導波管切替器１５で発生する上記特定周波数帯信号波の漏れ電力は、Ｓ帯導波管１８を経て終端器１９へ伝送される。終端器１９では、Ｓ帯導波管１８を経て伝送された上記漏れ電力が吸収される。
【００２３】
以上のように、この実施形態では、導波管切替器１５により、Ｃ帯→Ｓ帯テーパ導波管１２から出力されるＳ帯の特定周波数帯信号波ｍａ、又は、Ｘ帯→Ｓ帯テーパ導波管１４から出力されるＳ帯の特定周波数帯信号波ｍｂが選択されるので、Ｃ帯導波管１１及びＸ帯導波管１３のカットオフ周波数の影響を受けることなく、Ｘ帯ＡＭＰ１又はＣ帯ＡＭＰ４から出力される高周波信号波の電力の消費が１つのＳ帯用擬似負荷１７により対応可能となる。
【００２４】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、特定周波数帯（Ｓ帯）は、この擬似負荷装置が用いられる高周波信号源から出力される高周波信号波の周波数帯のうちの最低の周波数帯に限定されず、たとえば、最高の周波数帯や中程度の周波数帯に設定されていても、上記実施形態とほぼ同様の作用、効果が得られる。また、導波管切替器１５は、特定周波数帯信号波ｍａ又は特定周波数帯信号波ｍｂを選択する構成に限定されず、３つ以上の特定周波数帯信号波を選択する構成としても良い。また、高周波信号源は、Ｃ帯ＡＭＰ４及びＸ帯ＡＭＰ１に限定されず、伝送に導波管を必要とする高周波信号波を出力するものであれば良い。
【産業上の利用可能性】
【００２５】
この発明は、それぞれ異なる周波数帯の高周波信号波を出力する複数種類の高周波増幅器などに対して擬似負荷を掛ける擬似負荷装置全般に適用できる。
【符号の説明】
【００２６】
１      Ｘ帯ＡＭＰ（高周波信号源）
４      Ｃ帯ＡＭＰ（高周波信号源）
１１      Ｃ帯導波管（擬似負荷装置の一部）
１２      Ｃ帯→Ｓ帯テーパ導波管（周波数帯変換手段）
１３      Ｘ帯導波管（擬似負荷装置の一部）
１４      Ｘ帯→Ｓ帯テーパ導波管（周波数帯変換手段）
１５      導波管切替器（信号波選択手段）
１６      Ｓ帯導波管（第１の特定周波数帯導波管）
１７      Ｓ帯用擬似負荷（擬似負荷）
１８      Ｓ帯導波管（第２の特定周波数帯導波管）
１９      終端器
【図１】
2012257064.tif 000003
【図２】
2012257064.tif 000004